(57)【要約】【課題】組み付けの作業性を向上させることが可能な電線カバーを提供する。【解決手段】ハウジング２０から延出される電線群４０を覆う電線カバーは、電線群４０が挿通された蛇腹状のコルゲートチューブ５１を径方向から挟み込んだ状態で互いに組み付けることで前記コルゲートチューブ５１を保持する第１の分割保持部４３及び第２の分割保持部４４を備え、第２の分割保持部４４  には、ガイド部４２が突出して形成されるとともに、第１の分割保持部４３への組み付け動作の過程において、第１の分割保持部４３に位置決めされたコルゲートチューブ５１の外周の環状溝５５に、ガイド部４２が差し込まれることで、前記第２の分割保持部４４が正規の組み付け位置へと案内される。【選択図】  図８
2005026048.tif 000002
【特許請求の範囲】
【請求項１】
コネクタハウジングから延出される電線を覆う電線カバーであって、前記電線が挿通された蛇腹状のコルゲートチューブを径方向から挟み込んだ状態で互いに組み付けることで前記コルゲートチューブを保持する一対の分割保持部を備えたものにおいて、
前記両分割保持部のうちの一方には、他方への組み付け動作の過程において、前記他方の分割保持部に位置決めされた前記コルゲートチューブの外周の環状溝に差し込まれることで、前記一方の分割保持部を正規の組み付け位置へと案内可能なガイド部が突出して形成されていることを特徴とする電線カバー。
【請求項２】
前記一方の分割保持部は、その一端が撓み変形可能なヒンジを介して前記他方の分割保持部に一体に連結されており、
前記ガイド部は、前記一方の分割保持部における自由端側に設けられ、組み付け状態において、このガイド部が外面に突出した形態となるようにしたことを特徴とする請求項１に記載の電線カバー。
【請求項３】
前記一方の分割保持部には、前記他方の分割保持部に対し弾性的に係合することにより両分割保持部を組み付け状態に保持可能な弾性ロック片が設けられるとともに、
前記ガイド部は、前記弾性ロック片の自由端側に一体に設けられ、組み付け状態において、このガイド部により前記弾性ロック片を係合解除方向に撓み操作可能としたことを特徴とする請求項１又は請求項２に記載の電線カバー。
【請求項４】
前記一対の分割保持部は、撓み変形可能なヒンジを介して一体に連結されており、
前記一対の分割保持部には、互いの組み付け方向に対し略直交方向に撓み変形可能でかつ相手側に弾性的に係合することにより両分割保持部を組み付け状態に保持可能な複数の弾性ロック片が設けられるとともに、
これら複数の弾性ロック片のうちの一部は、前記ヒンジの軸と略直交方向に撓み変形可能とされ、他の一部は、前記ヒンジの軸と略平行方向に撓み変形可能とされていることを特徴とする請求項１に記載の電線カバー。
【発明の詳細な説明】
【０００１】
【発明の属する技術分野】
本発明は、コネクタハウジングから延出される電線を覆う電線カバーに関し、特に、コネクタハウジングとコルゲートチューブとを接続するものに関する。
【０００２】
【従来の技術】
従来、コネクタハウジングから延出される電線を覆う電線カバーの一例として、下記の特許文献１に記載されたものがある。このものは、図１１に示すように、樋状の基部２と、この基部２とヒンジ１により回動可能に接続されて基部２の上面を覆うカバー部３とを備えている。カバー部３の両側面には、一対ずつロック突起４が設けられ、それぞれ基部２の両側面に設けられた一対のロック孔５に係合されるようになっている。そして、ハウジング７の後部に基部２を装着するとともに、ハウジング７から延出される電線８とその電線８が挿通されたコルゲートチューブ６の端部を基部２に収容し、カバー部３を閉じてロック突起４をロック孔５に係合させると、コルゲートチューブ６がカバー部３と基部２との間に挟まれて抜け止め状態で保持される。
【０００３】
【特許文献１】
特開２００２−２５６８５公報
【０００４】
【発明が解決しようとする課題】
しかしながら、上記した構成では、ロック突起４とロック孔５との係合動作を容易とするために、ヒンジ１に比較的大きな遊びがある。このためカバー部３を組み付けようとした際に、ヒンジ１にねじれが生じ、カバー部３の位置が基部２に対してずれてしまいロックできないことがあり、組み付けの作業性が悪くなっていた。
本発明は上記のような事情に基づいて完成されたものであって、組み付けの作業性を向上させることが可能な電線カバーを提供することを目的とする。
【０００５】
【課題を解決するための手段】
上記の目的を達成するための手段として、請求項１の発明に係る電線カバーは、コネクタハウジングから延出される電線を覆う電線カバーであって、前記電線が挿通された蛇腹状のコルゲートチューブを径方向から挟み込んだ状態で互いに組み付けることで前記コルゲートチューブを保持する一対の分割保持部を備えたものにおいて、前記両分割保持部のうちの一方には、他方への組み付け動作の過程において、前記他方の分割保持部に位置決めされた前記コルゲートチューブの外周の環状溝に差し込まれることで、前記一方の分割保持部を正規の組み付け位置へと案内可能なガイド部が突出して形成されているところに特徴を有する。
【０００６】
請求項２の発明に係る電線カバーは、請求項１に記載のものにおいて、前記一方の分割保持部は、その一端が撓み変形可能なヒンジを介して前記他方の分割保持部に一体に連結されており、前記ガイド部は、前記一方の分割保持部における自由端側に設けられ、組み付け状態において、このガイド部が外面に突出した形態となるようにしたところに特徴を有する。
【０００７】
請求項３の発明に係る電線カバーは、請求項１または請求項２に記載のものにおいて、前記一方の分割保持部には、前記他方の分割保持部に対し弾性的に係合することにより両分割保持部を組み付け状態に保持可能な弾性ロック片が設けられるとともに、前記ガイド部は、前記弾性ロック片の自由端側に一体に設けられ、組み付け状態において、このガイド部により前記弾性ロック片を係合解除方向に撓み操作可能としたところに特徴を有する。
【０００８】
請求項４の発明に係る電線カバーは、請求項１に記載のものにおいて、前記一対の分割保持部は、撓み変形可能なヒンジを介して一体に連結されており、前記一対の分割保持部には、互いの組み付け方向に対し略直交方向に撓み変形可能でかつ相手側に弾性的に係合することにより両分割保持部を組み付け状態に保持可能な複数の弾性ロック片が設けられるとともに、これら複数の弾性ロック片のうちの一部は、前記ヒンジの軸と略直交方向に撓み変形可能とされ、他の一部は、前記ヒンジの軸と略平行方向に撓み変形可能とされているところに特徴を有する。
【０００９】
【発明の作用及び効果】
＜請求項１の発明＞
本構成によれば、組み付け動作の過程で、一方の分割保持部に形成されたガイド部を、コルゲートチューブの外周の環状溝に差し込むことにより、その分割保持部を正規の組み付け位置へと案内させることができる。したがって、一対の分割保持部を円滑に組み付けることができ、作業性を向上させることができる。
【００１０】
＜請求項２の発明＞
本構成によれば、一方の分割保持部の自由端側に設けられたガイド部が、組み付け状態において外面に突出した形態となるため、両分割保持部を組み付け状態から分離する際に、このガイド部に指先をかけながら両分割保持部を引き離すことができ、作業性が良い。
【００１１】
＜請求項３の発明＞
本構成によれば、ガイド部は、弾性ロック片の自由端側に一体に設けられ、組み付け状態において、このガイド部により前記弾性ロック片を係合解除方向に撓み操作可能とされている。したがって、両分割保持部を分離する際に、ガイド部を操作して弾性ロック片の係合を解除させることができるから、作業性が良い。
【００１２】
＜請求項４の発明＞
例えば、ヒンジの軸に対し略直交方向に撓むような弾性ロック片のみを設けた場合には、組み付け状態にある両分割保持部がその弾性ロック片の撓み方向に沿って互いに位置ずれしたときに弾性ロック片の係合が外れやすい。しかしながら、本構成によれば、そのような弾性ロック片と略直交する向きに撓む弾性ロック片を設けたから、弾性ロック片の係合が外れにくくなる。
【００１３】
【発明の実施の形態】
以下、本発明の一実施形態を図１ないし図１０を参照しつつ詳細に説明する。本実施形態の電線カバー３０は、コネクタ１０のハウジング２０から延出される電線を覆うものである。なお、以下の説明においては、ハウジング２０に対する電線カバー３０の装着方向（図２，図３の左方）を前方として説明する。
【００１４】
コネクタ１０は、端子金具を収容可能なハウジング２０と、このハウジング２０の後部に組み付けられる電線カバー３０とを備える。
ハウジング２０は、合成樹脂製で一体に形成されており、ハウジング本体部２１と、その周囲を取り囲むフード部２２とから構成されている。ハウジング本体部２１には、雌側の端子金具（図示せず）を収容可能な複数のキャビティ２３が前後に貫通して設けられている。キャビティ２３の内部には、端子金具に弾性的に係止可能なランス（図示せず）が設けられている。一方、フード部２２は、前面を開放させて略円筒状に形成されており、ハウジング本体部２１との間に形成される嵌合空間には、相手側のハウジング（図示せず）が嵌合可能とされている。
【００１５】
ハウジング２０の上壁には、図１に示すように、相手側のハウジングをロックする撓み可能なロックアーム２４が設けられている。ハウジング２０の上壁においてロックアーム２４を挟んだ左右両側には、保護壁２５が立ち上げられている。また、ハウジング２０の側壁には、端子金具を係止するリテーナ２６を挿通するためのリテーナ挿通口２７が開口されている。
【００１６】
そして、ハウジング２０の左右両側壁の後端部には、図２に示すように、電線カバー３０側のロック片３５と係合することで電線カバー３０をハウジング２０に取り付け可能とする左右一対のロック部２８が突設されている。また、ハウジング２０の左右両側壁においてロック部２８を間に挟んだ上下２位置には、リブ状の案内部２９が上下一対となって突設されている。各案内部２９は、一端がハウジング２０の後端面に臨みつつ前方へ延びて形成されている。そして、各案内部２９には、電線カバー３０の組付け時に電線カバー３０側の案内溝３６が係合可能となっており、案内溝３６と摺接して電線カバー３０を正規のロック位置へ誘導するようにしている。
【００１７】
また、ハウジング２０の後端面からは、図３に示すように、キャビティ２３内の各端子金具に接続された電線群４０が延出されている。この電線群４０は、ハウジング２０の後端面から出てすぐ下方へ折れ、その途中部分がテープ巻きによって結束されるとともにコルゲートチューブ５１によって外装されている。
コルゲートチューブ５１は、合成樹脂により弾性変形可能に形成されるとともに、周方向に沿った複数の環状溝５５が形成され、この環状溝５５が軸方向に一定間隔で並んで形成された蛇腹状をなしている。また、コルゲートチューブ５１には長さ方向に沿って一本の切れ目（図示せず）が入れられており、この切れ目を開いてできた隙間から電線群４０を内側に挿入可能となっている。
【００１８】
電線カバー３０は、図４に示すように、合成樹脂により一体に形成され、ハウジング２０の後端面から延出される電線群４０を内包してハウジング２０に嵌合される取付部３１と、この取付部３１の下方に連設されてコルゲートチューブ５１を径方向から挟みこむチューブ保持部４１とから構成されている。
【００１９】
取付部３１は、平板状の天井部３１Ａと、この天井部３１Ａの略Ｕ字状をなす側縁部から垂設されて電線群４０の側方を覆う電線覆い部３１Ｂとを備え、前面の開口部が組付け時にハウジング２０の後端面に閉塞されるようになっている。天井部３１Ａの左右両端部には、側方へ少し突出してその突出先端を上方へ立ち上げた突縁部３９が設けられている。この突縁部３９は、ハウジング２０の保護壁２５を内側にして組付けられるようになっている。
また、電線覆い部３１Ｂの前端縁の上下２位置には、後方への切り込みにより上下一対の案内溝３６が形成されている。電線覆い部３１Ｂのうち上下の両案内溝３６を隔てる部分には、撓み可能なロック片３５が、ハウジング２０の左右両側壁に側方へ向けて片持ち状に突出形成されている。ロック片３５は、全体として略方形板状に形成され、その中央部にハウジング２０側のロック部２８と嵌合可能な係合孔３５Ａを有している。
【００２０】
一方、チューブ保持部４１は、取付部３１と一体となって連接される第１の分割保持部４３（本発明の「一方の分割保持部」に相当する）と、この第１の分割保持部４３の前面を開閉可能に覆う第２の分割保持部４４（本発明の「他方の分割保持部」に相当する）と、両分割保持部４３，４４の側縁部同士を連結する撓み可能なヒンジ４５とから構成されている。
【００２１】
ヒンジ４５は、図５に示すように、両分割保持部４３，４４と一体の薄肉帯状に形成され、その長さ方向中央部には、曲げを容易とするために楕円形状に切り欠かれた剛性低下孔４５Ａが貫設されている。
【００２２】
第１の分割保持部４３は、図６に示すように、全体として樋状であって、取付部３１に対して連接されている。一方、第２の分割保持部４４は、第１の分割保持部４３と概ね相似した形状の樋状であって、ヒンジ４５を回動中心として第２の分割保持部４４に対し開閉可能とされている。
これら両分割保持部４３，４４の対向面（図５の紙面手前方向）には、それぞれ半円筒形状に切り欠かれた切り欠き部４６が形成されている。両切り欠き部４６の内周面には、環状に突出した３つの弧状部４６Ａが軸方向にコルゲートチューブ５１の環状溝５５と同じ間隔で並んで形成されている。これらの切り欠き部４６には、それぞれコルゲートチューブ５１の一端部における径方向の半分が収容可能とされるとともに、３つの弧状部４６Ａがそれぞれ環状溝５５に嵌め込まれることで、コルゲートチューブ５１が軸方向に位置決めされるようになっている。また、各分割保持部４３，４４のコルゲートチューブ５１が延出される側の幅方向両端部には、それぞれ幅方向に突出するつば部５０Ａ，５０Ｂが形成されている。両分割保持部４３，４４は、前記した切り欠き部４６にコルゲートチューブ５１の端部を半分ずつ収容させつつ、切り欠き部４６の側縁部及びつば部５０Ａ，５０Ｂ同士を互いに面当たりさせた状態で組み付けられ、これによりコルゲートチューブ５１が抜け止め状態で保持される。
【００２３】
さらに、第１の分割保持部４３には、３つのロック突部４７Ａ，４７Ｂ，４７Ｃが突出して形成されている。具体的には、第１の分割保持部４３のヒンジ４５が連結された側縁部とは反対側の自由端部の側面には、テーパ状の案内面が前面に形成されたロック突部４７Ａが側方へ突出して形成され、この自由端部の側面とは直交する位置である両つば部５０Ａの下面には、テーパ状の案内面が前面に形成されたロック突部４７Ｂ，４７Ｃが下方へ突出して形成されている。
【００２４】
一方、第２の分割保持部４４には、３つのロック突部４７Ａ，４７Ｂ，４７Ｃに対応した位置に、撓み変形可能な３つの弾性ロック片４８Ａ，４８Ｂ，４８Ｃが形成されている。具体的には、第２の分割保持部４４のヒンジ４５が連結された側縁部とは反対側の自由端側の側面には、弾性ロック片４８Ａが第１の分割保持部４３に対する組み付け方向の先方側（図５の紙面手前側）へ突出して形成されるとともに、この弾性ロック片４８Ａは左右方向に撓み変形可能とされている。また、両つば部５０Ｂの下面には、弾性ロック片４８Ｂ，４８Ｃが同じく組み付け方向の先方側へ突出して形成されるとともに、この弾性ロック片４８Ｂ，４８Ｃは上下方向に撓み変形可能とされている。また、各弾性ロック片４８Ａ，４８Ｂ，４８Ｃの先端面には、テーパ状の案内面が形成されている。
【００２５】
これらの弾性ロック片４８Ａ，４８Ｂ，４８Ｃの先端側には、それぞれ長さ方向に細長い長方形状のロック孔４９Ａ，４９Ｂ，４９Ｃが形成され、各ロック孔４９Ａ，４９Ｂ，４９Ｃにそれぞれロック突部４７Ａ，４７Ｂ，４７Ｃが嵌入されるようになっている。なお、弾性ロック片４８Ａ，４８Ｂ，４８Ｃにおけるロック孔４９Ａ，４９Ｂ，４９Ｃの後方部分は、このロック孔４９Ａ，４９Ｂ，４９Ｃを形成するため型抜き用に開放されている。
【００２６】
さて、第２の分割保持部４４におけるヒンジ４５とは反対側の自由端側に設けられた弾性ロック片４８Ｂの先端には、ガイド部４２が一体に設けられている。このガイド部４２は略矩形の厚肉板状をなした厚板部４２Ｂを備えており、この厚板部４２Ｂは、弾性ロック片４８Ｂと同幅で、組み付け方向の先方側（図６の上方）へ伸び出しており、かつ弾性ロック片４８Ｂよりも下方に張り出している。さらにこの厚板部４２Ｂにおける切り欠き部４６側の側面下端からは、平板状の爪部４２Ａが切り欠き部４６の軸（即ちコルゲートチューブ５１の軸）と直交するように突出して形成されている。この爪部４２Ａは、ほぼ矩形状をなし、その先端側の一対の角部に丸みが付けられている。また、爪部４２Ａの厚さ寸法は、コルゲートチューブ５１の環状溝５５の幅寸法よりも僅かに小さくされている。さらにこのガイド部４２と最下部の弧状部４６Ａとの間隔は、各弧状部４６Ａ間の間隔（即ちコルゲートチューブ５１における環状溝５５の間隔）と等しくされている。このガイド部４２の爪部４２Ａは、後に詳述するように、第２の分割保持部４４の第１の分割保持部４３に対する組み付け動作の過程で、第１の分割保持部４３に位置決めされた状態のコルゲートチューブ５１の先端から４つ目の環状溝５５に差し込まれるように設定されている。また、前述のようにガイド部４２は弾性ロック片４８Ｂの先端に一体に設けられているため、このガイド部４２を下方に押し下げることにより弾性ロック片４８Ｂを係合解除方向（下方）に撓み操作可能とされている。
【００２７】
次に本実施形態の組み付け手順を説明する。
まず、コルゲートチューブ５１の切れ目を広げて、ハウジング２０の後端面から延出される電線群４０をコルゲートチューブ５１の内側に挿通させる。
次に、図６のように、分割された状態にある両分割保持部４３，４４のうち第１の分割保持部４３の切り欠き部４６にコルゲートチューブ５１の端部を径方向から収容させるとともに、３つの弧状部４６Ａをそれぞれコルゲートチューブ５１端部の３つの環状溝５５に嵌め込む。これによりコルゲートチューブ５１が第１の分割保持部４３に対して軸方向に位置決めされた状態となる。
【００２８】
そして、第２の分割保持部４４をヒンジ４５を回動中心として図６の時計回り方向に回動させていく。第２の分割保持部４４が第１の分割保持部４３に接近する過程において、第２の分割保持部４４が上下方向に傾きのない姿勢で回動された場合には、ガイド部４２の爪部４２Ａがコルゲートチューブ５１の先端から４つ目の環状溝５５に差し込まれる。この組み付け動作中に、ヒンジ４５にねじれが生じて、第２の分割保持部４４が上下方向に傾いた姿勢となっていた場合には、ガイド部４２の爪部４２Ａの先端がコルゲートチューブ５１の外周面に突き当たって、組み付け動作が規制される。この場合には、第２の分割保持部４４をコルゲートチューブ５１側に押し付けつつ上下方向にずらすと、第２の分割保持部４４が傾きのない姿勢になったところで、ガイド部４２の先端が前記の環状溝５５内に差し込まれて組み付け動作が続行される。
【００２９】
このようにガイド部４２が環状溝５５に差し込まれることで、第２の分割保持部４４がコルゲートチューブ５１の軸方向（上下方向）に位置決めされた状態となるため、そのままガイド部４２が環状溝５５に差し込まれた状態を保ちつつ第２の分割保持部４４を第１の分割保持部４３側に接近させていくことで、第２の分割保持部４４が上下に傾くことなく後述の正規の組み付け位置へと案内される。こうして、第２の分割保持部４４がさらに第１の分割保持部４３に接近すると、図８に示すように、各弾性ロック片４８Ａ，４８Ｂ，４８Ｃの先端がそれぞれロック突部４７Ａ，４７Ｂ，４７Ｃに当接し、弾性ロック片４８Ａ，４８Ｂ，４８Ｃが両者のテーパ面に案内されて外側に撓み変形しつつロック突部４７Ａ，４７Ｂ，４７Ｃに乗り上げる。また、弾性ロック片４８Ｂの撓み変形に伴ってガイド部４２が下方へ変位して、爪部４２Ａが差し込まれた環状溝５５の内側壁を下方へ若干押し下げる。一方で、第２の分割保持部４４の切り欠き部４６にコルゲートチューブ５１の一部が進入して、各弧状部４６Ａが対応する環状溝５５に入り込む。
【００３０】
そして、図９及び図１０に示すように、両分割保持部４３，４４の端面同士が突き当たる正規の組み付け位置に至ると、各弾性ロック片４８Ａ，４８Ｂ，４８Ｃが復元変形するとともにロック突部４７Ａ，４７Ｂ，４７Ｃが対応する弾性ロック片４８Ａ，４８Ｂ，４８Ｃのロック孔４９Ａ，４９Ｂ，４９Ｃに嵌入され、両分割保持部４３，４４が離間不能にロックされる。また、ガイド部４２の爪部４２Ａによって若干押し下げられていた環状溝５５の内側壁が復元変形する。
こうして、コルゲートチューブ５１が電線カバー３０に対し抜け止め状態で保持される。この組み付け状態では、ガイド部４２は、その外側面及び後面が第１の分割保持部４３のつば部５０Ａとほぼ面一になるとともに、電線カバー３０の下方に突出した形態となる。
【００３１】
そしてこの状態で、電線カバー３０の取付部３１の前面をハウジング２０の後端面に正対させ、電線カバー３０をハウジング２０側に押し込む。すると、電線カバー３０の案内溝３６にハウジング２０の案内部２９が進入し、電線カバー３０が案内部２９に沿って移動される。その後、電線カバー３０をハウジング２０に対して正規位置でロックすると、ハウジング２０の後端面から延出される電線群４０は、電線カバー３０によって案内保護されて下方へ延出されるようになる。
【００３２】
ところで、例えばメンテナンス等の事情により、互いに組み付けられた両分割保持部４３，４４を再び分離する必要が生じる場合がある。この場合には、まず、ガイド部４２に指先をかけてこれを押し下げる。そうすると、ガイド部４２と弾性ロック片４８Ｂとは一体に構成されているから、ガイド部４２と共に弾性ロック片４８Ｂの先端も下方へ押し下げられ、ロック孔４９Ｂとロック突部４７Ｂとの係合が解除される。そして、ガイド部４２に指先をかけたままこれを前方に向けて押圧するとともに、他の弾性ロック片４８Ａ，４８Ｃとロック突部４７Ａ，４７Ｃとの係合も解除させると、両分割保持部４３，４４が分離される。
【００３３】
このように、一対の分割保持部４３，４４のうちの第２の分割保持部４４にガイド部４２が突出して形成されているから、コルゲートチューブ５１の外周の環状溝５５に、ガイド部４２を差し込むことにより、第２の分割保持部４４を正規の組み付け位置へと案内させることができる。したがって、一対の分割保持部４３，４４を円滑に組み付けることができ、作業性を向上させることができる。
【００３４】
また、第２の分割保持部４４の自由端側に設けられたガイド部４２が、組み付け状態において外面に突出した形態となるため、両分割保持部４３，４４を組み付け状態から分離する際に、ガイド部４２に指先をかけながら両分割保持部４３，４４を引き離すことができ、作業性が良い。
【００３５】
さらに、ガイド部４２は、弾性ロック片４８Ｂの自由端側に一体に設けられ、組み付け状態において、このガイド部４２により前記弾性ロック片４８Ｂを係合解除方向に撓み操作可能とされている。したがって、両分割保持部４３，４４を分離する際に、ガイド部４２を操作して弾性ロック片４８Ｂの係合を解除させることができるから、作業性が良い。
【００３６】
また、例えば、ヒンジ４５の軸に対し略直交方向に撓むような弾性ロック片４８Ａのみを設けた場合には、組み付け状態にある両分割保持部４３，４４がその弾性ロック片４８Ａの撓み方向に沿って互いに位置ずれしたときに弾性ロック片４８Ａの係合が外れやすい。しかしながら、そのような弾性ロック片４８Ａと略直交する向きに撓む弾性ロック片４８Ｂ，４８Ｃを設けたから、弾性ロック片４８Ａ，４８Ｂ，４８Ｃの係合が外れにくくなる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ハウジング２０と電線カバー３０とを別体としてハウジング２０に電線カバー３０を接続する構成としたが、本発明によれば、ハウジングと電線カバーとを一体に構成してもよい。
（２）上記実施形態では、一対の分割保持部４３，４４はヒンジ４５を介して一体に構成されたが、ヒンジ４５を設けずに、両分割保持部４３，４４を別体として構成してもよい。ただし、本実施形態のように両分割保持部４３，４４をヒンジ４５を介して接続した方が部品点数を増やさなくてすむからより作業性を向上させることができる。
【００３８】
（３）本発明によれば、電線カバーを互いに同一形状の一対の半割部材で構成するようにしても良い。なお、この場合、ガイド部を双方の半割部材に設けることになるが、組み付けに際しては、先にコルゲートチューブを位置決めさせる側の半割部材のガイド部は使用しなくても良い。
（４）上記実施形態では、ガイド部４２を一つのみ設けたが、本発明によれば、ガイド部は複数設けても良く、例えば、一方の分割保持部から一対のガイド部を互いに離間した状態で突出させて、組み付け動作の過程で両ガイド部間にコルゲートチューブを挟み込ませることで、その分割保持部をコルゲートチューブの径方向にも位置決めするようにしても良い。
【図面の簡単な説明】
【図１】本発明の一実施形態に係るコネクタの斜視図
【図２】コネクタの左側面図
【図３】図２の要部断面図
【図４】電線カバーの斜視図
【図５】両分割保持部を分割した状態の電線カバーの正面図
【図６】両分割保持部を分割した状態の電線カバーの底面図
【図７】両分割保持部を分割した状態の電線カバーの側面図
【図８】両分割保持部の組み付け過程を示す底面図
【図９】両分割保持部の組み付けが完了した状態の電線カバーの底面図
【図１０】両分割保持部の組み付けが完了した状態の電線カバーの正面図
【図１１】従来例における電線カバーの斜視図
【符号の説明】
２０…ハウジング（コネクタハウジング）
３０…電線カバー
４０…電線群
４１…チューブ保持部
４２…ガイド部
４２Ａ…爪部
４２Ｂ…厚板部
４３…第１の分割保持部
４４…第２の分割保持部
４５…ヒンジ
４６…切り欠き部
４６Ａ…弧状部
４７Ａ，４７Ｂ，４７Ｃ…ロック突部
４８Ａ，４８Ｂ，４８Ｃ…弾性ロック片
４９Ａ，４９Ｂ，４９Ｃ…ロック孔
５０Ａ，５０Ｂ…つば部
５１…コルゲートチューブ
５５…環状溝
【図１】
2005026048.tif 000003
【図２】
2005026048.tif 000004
【図３】
2005026048.tif 000005
【図４】
2005026048.tif 000006
【図５】
2005026048.tif 000007
【図６】
2005026048.tif 000008
【図７】
2005026048.tif 000009
【図８】
2005026048.tif 000010
【図９】
2005026048.tif 000011
【図１０】
2005026048.tif 000012
【図１１】
2005026048.tif 000013